(57)【要約】      （修正有）【課題】履物の幅の調節を容易に行えるようにする。【解決手段】履き物１は、その間に幅寸法が規定される中央部４ａ'および側面部４ａ''を含む周囲輪郭を有する少なくとも１つの弾性部材を備える。前記弾性部材には、前記幅寸法の所望の調節度合を選択するために操作可能な調節機構が設けられている。前記底部３は、前記調節機構によって選択された調節度合を前記底部３の下面から視認可能にするための観察手段１５を備えている。【選択図】図１３
2006204917.tif 000002
【特許請求の範囲】
【請求項１】
上部（２）と底部（３，４）とを有し、前記底部（３，４）は、中央部（４ａ'）および側面部（４ａ''）を有するとともに各部（４ａ'，４ａ''）の間が幅寸法を規定する周囲輪郭（４ａ'，４ａ''）と、前記幅寸法の変化を可能にし、これにより前記周囲輪郭の形状変化を可能にするために配置された材料の不連続部（８）とを有する少なくとも１つの弾性部材（４）を含み、前記幅寸法の所望の調節度合を選択するために、特に、履き物（１）の使用者の足に前記周囲輪郭（４ａ'，４ａ''）の形状を適合させるために操作可能な調節機構（１１−１３）が前記弾性部材（４）に設けられている履き物（１）において、
前記底部（３，４）には、前記調節機構（１１−１３）によって選択された調節度合を視認可能にするために配置された観察手段（１１，１３，１５；１１ｅ，１１ｆ；１１ｅ，３）が、前記弾性部材（４）の前記中央部（４ａ'）と前記側面部（４ａ''）との間の領域に設けられていることを特徴とする履き物。
【請求項２】
前記観察手段（１１，１３，１５；１１ｅ，１１ｆ；１１ｅ，３）は、前記底部（３，４）の下面からの視認を可能にするように構成されていることを特徴とする請求項１に記載の履き物。
【請求項３】
前記観察手段（１１，１３，１５；１１ｅ，１１ｆ；１１ｅ，３）は、少なくとも一部が透明材料からなる無事（１１；１１ｆ；３）を含むことを特徴とする請求項１または２に記載の履き物。
【請求項４】
前記材料の不連続部（８）は、前記底部（３，４）の足指領域にほぼ対応して前記弾性部材（４）に形成されていることを特徴とする請求項１に記載の履き物。
【請求項５】
前記調節機構（１１−１３）は、種々の程度に協働可能な少なくとも第１部材（１１）および第２部材（１３）を含み、前記観察手段（１１，１３，１５；１１ｅ，１１ｆ；１１ｅ，３）前記第１および第２部材（１１，１３）の協働具合を視認可能にするように配置されていることを特徴とする請求項１に記載の履き物。
【請求項６】
前記弾性部材（４）内には、前記第１および第２部材（１１，１３）のための少なくとも第１ハウジング（９）が形成されており、前記ハウジング（９）は、前記材料の不連続部（８）の伸張方向に対して横方向に延伸していることを特徴とする請求項５に記載の履き物。
【請求項７】
前記第１および第２部材（１１，１３）は、ネジ連結によって協働することを特徴とする請求項５または６に記載の履き物。
【請求項８】
前記第１部材は、雌ネジが切られた中空部（１１ｃ）を有する挿入物（１１）からなり、前記第２部材は、頭部（１３ａ）と、前記第１部材（１１）の前記中空部（１１ｃ）にねじ込まれることが可能なネジ付き端部（１３ｃ）とを有するネジ部材（１３）からなることを特徴とする請求項７に記載の履き物。
【請求項９】
前記挿入物（１１）は、少なくとも一部が透明材料からなり、前記観察手段（１１，１３，１５；１１ｅ，１１ｆ；１１ｅ，３）の少なくとも一部を形成することを特徴とする請求項８に記載の履き物。
【請求項１０】
前記挿入物（１１）は、前記観察手段（１１，１３，１５；１１ｅ，１１ｆ；１１ｅ，３）の少なくとも一部を形成する溝または切り込み（１１ｅ）を有することを特徴とする請求項８に記載の履き物。
【請求項１１】
前記弾性部材は中間底部（４）であり、前記底部（３，４）は前記中間底部（４）に固定される外側または下側底部（３）をさらに含み、前記観察手段（１１，１３，１５；１１ｅ，１１ｆ；１１ｅ，３）は、前記外側底部（３）に形成された開口部または通路（１５）、前記外側底部（３）の透明材料からなる少なくとも一部、および、前記中間底部（４）と前記外側底部（３）との間に少なくとも部分的に挟まれた透明部材（１１ｆ）のうちの少なくとも１つを含むことを特徴とする請求項１ないし１０のいずれかに記載の履き物。
【請求項１２】
前記ハウジング（９）の少なくとも一部（９ａ）は、前記周囲輪郭（４ａ'，４ａ''）、特に前記中央部（４ａ'）に開口する円形穴として形成されていることを特徴とする請求項１ないし１１のいずれかに記載の履き物。
【請求項１３】
前記ハウジング（９，１０）の少なくとも一部（９ｂ，９ｃ，９ｄ）は、前記弾性部材（４）の下面（ＬＦ）に開口する空洞として形成されていることを特徴とする請求項１ないし１２のいずれかに記載の履き物。
【請求項１４】
前記空洞（９ｄ）は、前記弾性部材（４）の下面とほぼ面一になる表面を有する挿入物（１１）の少なくとも一部を収容するようになっていることを特徴とする請求項１３に記載の履き物。
【請求項１５】
前記材料の不連続部は、前記弾性部材（４）に形成された中空部または空隙（８）、前記弾性部材（４）の本体において前記弾性部材（４）の他の部分よりも圧縮されやすい材料からなる挿入物または部分、および、流体を収容した室のうちの少なくとも１つを含むことを特徴とする請求項１に記載の履き物。
【発明の詳細な説明】
【技術分野】
【０００１】
本発明は、使用者の足に履き物の形状を適合させることを可能にする調節機構を有する履き物に関する。
【背景技術】
【０００２】
人によっては、足について同じ大きさであっても形状や幅が異なり、同一人でも左右の足が異なっていることがあることが知られている。サイズの最も大きな違いは、その幅、特に足の裏の領域において見られる。
【０００３】
このため、所定の大きさの履き物について、同一モデルの履き物で、５本の足指を通る平面周囲のサイズに対応して異なる幅または「適合状態(fitting)」になるように多数の種類が準備されることが理想的である。
【０００４】
実際において、その製造者らは、履き物の市場における機能、その用途、使用材料、構成型式(construction typology)などに応じて、製造される種類の選択を行っている。しかしながら、同一の履き物のモデルについて、同一長さであっても、足の変化に適合させるために幅広または幅狭の異なる種類の履き物を準備しなければならない。
【０００５】
それは合理的な生産の妥協点であるが、このような生産の多様性は、製造者が履き物の形状、靴底、上部等のための異なる機械設備を持っておかなければならず、また、小売店は消費者の要求に応えるためには同じモデルの履き物について非常に多くの型式のものを買っておかなければならない、という２つの問題がある。
【０００６】
消費者は、種々の種類の履き物のうちに自分の足に適当した大きさがなければ、少し大きいか又は少し小さいサイズのものを買わなければならないことになる。
【０００７】
これらの欠点を解消するため、米国特許第５，８１３，１４６号は、使用者の足に適合させることを可能にする調節機構を有する履き物を提案する。その履き物は、上部と、足指領域に材料の不連続性が有る底部(sole)とを有し、前記不連続性に対応して調節手段が操作されるようになっている。前記底部は、特に、弾性的に柔軟な材料からなる少なくとも１つの中間底部を有し、前記不連続性が前記中間底部に形成された溝のような空隙、前記中間底部の他の部分に比してより柔軟な材料からなる挿入物、または、前記中間底部の領域に配設された小さい空気室からなっている。このような中間底部は、履き物の上部と外側底部との間に配置される。
【０００８】
米国特許第５，８１３，１４６号の１つの実施形態では、調節手段は、中間底部に横方向に配置され且つ中間底部の中央部に固定されたネジ付きロッドを含む。このように固定されたネジ付きロッドの各端部には、雌ネジ付ブシュがねじ込まれており、そのブシュの頭部は中間底部の外側輪郭上で操作可能になっている。前記各頭部には、材料の不連続性に対応する部分の圧縮または拡張を可能にするために、前記ネジ付きロッドに対してブシュをねじ込んだり緩めたりするように、適当な工具と協働できる切り欠きが設けてある。このようにして、足指領域の多数の点で底部の幅を、理想中心縦線と底部の周囲との間で調節することができ、これにより使用者の足に底部輪郭形状を適合させることができる。
【特許文献１】米国特許第５，８１３，１４６号
【発明の開示】
【発明が解決しようとする課題】
【０００９】
本発明は、上述した公知技術の改良を実行し、特に、製造者、小売業者または消費者の誰でもが、履き物の幅の調節を容易に行えるようにすることを目的とする。
【課題を解決するための手段】
【００１０】
後により明らかになる前記目的は、本願の記載内容の重要部分をなす添付の特許請求の範囲に記載の特徴を有する履き物にかかる本発明によって達成される。
【００１１】
本発明のさらなる目的、特徴および利点は、単なる例示であって非制限的な例である下記の説明および添付図面からより明らかになるであろう。
【発明を実施するための最良の形態】
【００１２】
図１において、本発明により実施される一般的なスポーツシューズは、全体が符号１で示され、上部２と、下部または底部とを有する。例示の場合では、底部は、下部または外側の底部３と、中間底部４とからなっている。
【００１３】
上部２の実施形態の様式は、本発明の目的外にあるので、詳細な説明および図示はなされていない。
【００１４】
外側底部３は、例えば、硬さを異ならせたゴムなどの合成材料からなる。例示の場合、外側底部３は、それぞれがシューズ１の前部および後部の接地部の部分を構成する２つの部分３ａ，３ｂからなる。外側底部３の２つの部分３ａ，３ｂの間には、シューズ１の中央縁部の領域に対応して、接地機能が必要とされない中間部分３ｃがある。なお、外側底部３は、例えば、部分３ａを形成する後部、部分３ｂを形成する前部、および、部分３ｃを形成する中間部というように、中間底部４に貼着された複数の分離した片で形成されてもよい。
【００１５】
中間底部４は、上面、下面、および、側面または周囲輪郭(peripheral profile)を有する。前記側面は、図２に符号４ａ'で示される中央部としての第１部分と、図２に符号４''で示される外側部としての第２部分とを有する。中央部４'は、シューズが履かれたときに使用者の他方の足に対向する、中間底部４の周囲輪郭の部分であり、一方、外側部４''は前記中央部４'と
反対側で前記周囲輪郭の部分をなしている。
【００１６】
中間底部４は、上部２と外側底部３との間に配置され、その上に、シューズ１では、アーチ支持部(arch support)または足底(plantar)がある。アーチ支持部は、図示されていないが、必要に応じて引き抜き可能になっている。このため、中間底部４は、その高い領域に、凹部４ｂが形成されており、この凹部内において前記アーチ支持部は少なくとも部分的なハウジングを形成する。
【００１７】
中間底部４の本体４ａは、例えばＥＶＡのような弾性のある柔軟で軽い材料を成型することによって得られ、その後、例えばその上面の周囲領域に貼着されることによって上部２に取り付けられる。中間底部４の下面には、後述する調節手段が装着される。それから、外側底部３が好ましくは接着によって中間底部４に取り付けられる。
【００１８】
図２−４には、中間底部４の本体４ａが示されている。図２に見られるように、本体４ａの前部、特に足指領域には、符号８で示される材料の不連続部がある。この例では、前記不連続部８は、溝状の中空部または空隙からなり、中間底部４の縦長方向と同じ長さ方向に延伸している。中空部または空隙に代えて、不連続部８は、本体４ａの他の部分よりも圧縮されやすい材料で形成された挿入物または本体部分で構成されてもよいし、または、参照によりここに組み込まれている上述した米国特許第５，８１３，１４６号に記載されているのと同様に小さい空気室によって構成されてもよい。
【００１９】
本体４ａには、符号９で示される２つのハウジングが、互いにほぼ平行に形成され（ただし、このような平行配置は厳格に要求されるものではない）、且つ、本体４ａに対して及び／又は溝８の長手方向に対して横方向に延伸している。
【００２０】
各ハウジング９は、本体４ａの周囲輪郭の中央部４ａ'に開口する端部を有する円筒形の穴９ａとして形成された第１端部を含む。前記穴９ａの他端部は、本体４ａの下面ＬＦに開口するほぼ平行六面体形状の第１座部９ｂで終わっている。第１座部９ｂに隣接して、小さい座部９ｂ'がある。この小さい座部９ｂ'は、前記第１座部９ｂよりも小さい寸法を有するとともに、本体４ａの下面ＬＦに開口している。
【００２１】
前記座部９ｂ'からは、前記ハウジング９は、本体４ａの下面ＬＦに開口するほぼＵ字状の溝９ｃとして延伸している。各ハウジングの溝９ｃは、溝８に対して横方向に長く延伸している。ハウジング９の最後は、第２座部９ｄで終わっている。第２座部９ｄは、図５ないし８において符号１１で示す各挿入物の少なくとも一部を収容するのに適合した複雑な形状を有する。この例では、第２座部９ｄは、本体４ａの周囲輪郭の外側部４ａ''に対して少し凹んでいる。
【００２２】
図５―８には、他の挿入物はほぼ同様の形状をなしているので、１つだけの挿入物１１が異なる図面で示されている。挿入物１１は、小さい板状のベース部１１ａを有する。ベース部１１ａの端部からは、溝状通路１１ｂ'が形成された前壁１１ｂが垂直に立設されている。ベース部１１ａの中央部には、壁１１ｂが立設されている同じ側に、内部にネジが切られ且つ両端が開口した円筒状管１１ｃが設けられている。前記通路１１ｂ'と前記管１１ｃとは、互いにほぼ同軸上になっている。壁１１ｂおよび管１１ｃが設けられているのとは反対側のベース部１１ａの表面には、前記管の底部に揃うように、隆起部または突起１１ｄが配設されている。
【００２３】
前記座部９ｄは、前記挿入物１１の前壁１２１ｂを受け入れる第１部分１０ａと、前記挿入物１１の管１１ｃを受け入れる第２部分１０ｂと、前記隆起部１１ｄが突設されている表面が中間底部４の本体４ａの下面とほぼ面一になるように前記挿入物１１のベース部１１ａを受け入れる第３部分とを有する。
【００２４】
なお、前記第１部分１０ａと前記第２部分１０ｂとの間には、ハウジング９の溝９ｃの延長部を構成する座部１０ｄが形成されている。
【００２５】
前記座部９ｂは、全体としては平行六面体をなし且つ溝状通路１２ａが形成されている図９に示すような小さい板１２を収容するようになっている。
【００２６】
図１０には、２つのネジまたは調節ロッド１３が示され、これらは各挿入物１１とそれぞれ協働するようになっている。各ネジ１３は、切り込み１３ａ'（図１２参照）が形成された頭部１３ａと、ほぼ円柱状の中間部１３ｂと、ネジ付き端部１３ｃとを有し、ネジ付き端部１３ｃおよび中間部１３ｂには小さいフランジまたはワッシャ１３ａ'，１３ｄが設けられている。ワッシャ１３ａ'は頭部１３ａから近距離にあり、ワッシャ１３ｄはネジ付き端部１３ｃの端に対応している。
【００２７】
中間底部４は、溝８およびハウジング９を含むように、公知の方法で成型されることができる。各穴９ａには、ネジ１３がそれぞれ挿入され、そのネジ付き端部１３ｃが挿入物１１の管１１ｃ内の雌ネジに部分的にねじ込まれる。そのとき、ワッシャ１３ｄは、挿入物１１の前壁１１ｂと管１１ｃとの間に位置する。このような組立動作は、前記本体４ａを形成する材料の弾性と、前記ネジ１３の部分１３ｂ，１３ｄが前記挿入物１１の前壁１１ｂの通路１１ｂ'を通過できるような直径に形成されていることとによって、可能になる。
【００２８】
それから、挿入物１１は、表面が前記本体４ａの下面とほぼ面一になるように、各座部９ｄに挿入される。そして、各座部９ｂには、小さい板１２がそれぞれ挿入され、これにより前記板１２の通路１２ａがネジ１３の円柱部１３ｂに嵌り込んで、前記小さい板１２は各ネジ１３の頭部１３ａとワッシャ１３ａ'との間に配置される。最後に、図９に示す小さい板１２'が、その通路１２ａ'が挿入物１１のワッシャ１３ｄと前壁１１ｂとの間でネジ１３のネジ付き端部１３ｃに嵌り込むように、ネジ１３上に滑り込ませる。
【００２９】
上述した組立動作の後、中間底部４は図１１に示すようになる。組立のために、ネジ１３は、例えば１１に示す所定位置まで前記管１１ｃにねじ込まれることができる。このとき、上述したようにネジ付き端部１３ｃの端にあるワッシャ１３ｄは、挿入物１１の前壁１１ｂに接触している前記小さい板１２'に対して接触する。
【００３０】
組み立てられた状態では、図１２に示すように、中間底部４の周囲輪郭の中央部４ａ'にある穴９ａに、ネジ１３の頭部１３ａが操作可能に現れており、切り込み１３ａ'の存在によって例えばドライバで回転させることができる。
【００３１】
本発明の主要な態様において、シューズ１は、周囲輪郭の中央部４ａ'と側面部４ａ''との間にある底部３，４の領域における調節度合の視覚による管理を可能にするための観察手段(inspection means)を有する。
【００３２】
そのために、例示の実施形態では、挿入物１１の本体は、ほぼ透明なプラスチック材料からなり、外側底部３の前部３ｂには、各透明挿入物１１の少なくとも一部分を直接見るのを可能にするのに適した開口部または通路が設けられている。
【００３３】
図１３にシューズ１の底面図を示し、図１４に底部３，４の部分断面を示す。図示するように、下部または外側の底部の部分３ａには、２つの通路または穴１５が形成されている。各通路１５は各挿入物１１の突起１１ｄに対応して配置されている。その結果、図１４に示すように、挿入物１１のベース部１１ｂの周辺部分が外側底部３によって覆われ、これにより中間底部４の本体４ａに形成された各座部内での挿入物１１の位置決めが確実になる。
【００３４】
通路１５および挿入物１１の透明な本体を介して、各管１１ｃへの各ネジ１３のネジ部１３ｃのねじ込み具合、すなわちそれらの協働または連結具合を視覚により確認することができる。そのために、各通路１５に露出する挿入物のベース部１１ａの表面に、基準となる切り込み（または目盛り）を形成しておくことが好ましく、このことは調節目的に便利である。
【００３５】
シューズ１ｗを製造するために、調節手段１１−１３が装着された中間底部４が得られた後に、中間底部４の下面ＬＦに、通路１５が上述したように配置されるように外側底部３が貼着される。
【００３６】
シューズ１の前記調節手段の機能は、非常に簡単である。ネジ１３をねじ込むと、各頭部１３ａ
が小さい板１２に向けて押されて、前記小さい板１２と前記穴８との間にある中間底部４の本体４ａの部分が挿入物１１に向かって押され、および／または、挿入物１１が前記小さい板１２に向かって引っ張られる。これにより、不連続部８の圧縮が決定され、中間底部４の幅を減少させることができ、その周囲輪郭の形状を変更することができる。
【００３７】
図１５に、挿入物１１の各管１１ｃの端部に各ワッシャ１３ｄが当接することによって決定される、２つのネジ１３の最大ねじ込み状態を示す。ここでは、明瞭化のために外側底部３は図示されていない。図示するように、この状態では、不連続部８はほぼ潰されており、これにより足指領域における中間底部４の幅を減少させられる。図１５において、点線は、非調整状態にある中間底部４の周囲輪郭の形状（すなわち図１１に示すのと同様）を示す。反対に、例えば図１５に示す形状から調節を開始する場合、ネジ１３を緩めることによって、中間底部４を形成する材料の弾性により不連続部８は拡張していき、図１１の形状まで戻る。
【００３８】
各場合において、ネジ１３によって行われる調節度合は、通路１５および挿入物１１を形成する材料の透明性によって、視覚により正確に制御することができる。上述したように、挿入物１１には、適当な表示切り込みが設けられてもよい。このように、本発明にかかる靴の幅または「適合状態」は、簡単かつ反復可能な方法で、各個人に対して正確に対応することができる。これは、靴または履き物の製造者、小売御者および消費者にとって、格別な利点である。例えば或る状況では、使用者は、シューズの特定の使用状態に応じて調節を暫定的に変更することができ、その後に物理的に正確な観察が可能であることによって初期調節状態、すなわち通路１５および挿入物１１の透明性を介しての観察による初期調節状態に戻すこともできる。
【００３９】
勿論、構成の細部および実施形態は、本発明の要旨から外れることなく、単なる例示の方法で説明および図示されてきたものについて種々に変更されてもよい。
【００４０】
例えば、構成部材１１の本体は、ネジ付き管１１ｃに沿って細長く延伸する溝を形成したベース部１１ａを有する、不透明な材料からなるものであってもよい。このような変形は、図１６，１７に概略的に示される。ここにおいて、前記溝は符号１１ｅで示される。このように、溝１１ｅを介して、ネジ１３のネジ付き端部１３ｃを見ることができ、調節度合を視覚的に確認することができる。そのために、ベース部１１ａ上に、基準切り込みが形成されてもよい。この実施形態では、溝１１ｅが配置されている領域は、例えば図１８の断面に示されるように、透明材料からなる薄い層で適当に覆われてもよい。この層は、中間底部４と外側底部３との間に介在させた透明部材１１ｆからなってもよいし、または、図１９に示すように外側底部３の透明部自体で構成されてもよい。
【００４１】
選択される部材を問わず、且つ、調節度合の認識を容器にするために、ネジ１３またはこれに代わる手段は、中間底部４の本体４ａおよび／または外側底部３を形成する材料の１つを目立たせる色づけを少なくとも一部に施してもよい。
【００４２】
別の実施形態では、調節度合は、各ネジ１３のネジ付き端部に代えて、ワッシャ１３ｄの位置によって視認できるようにしてもよい。この場合、溝１１ｅを有する挿入物１１を用いることで、前記溝１１ｅは、各ネジ１３の動作によって生じるワッシャ１３ｄの行程の部分に対応して設けられることは明らかである。
【００４３】
溝８が本体４ａを分断する空隙によって形成される場合、溝８を覆って、本体４ａ自身の上面にカバーを貼着してもよい。例えば織物または弾性のあるまたは柔軟なシートからなるカバーは、図１１，１５の２つの極限調節状態にそれぞれ対応する図２０，２１の２つの状態の断面において符号１４で示されている。
【００４４】
図２２，２３に、本発明の最後の実施形態を示す。この実施形態では、中間底部４の本体４に、１つだけのハウジング９が形成されており、調節手段は１つの挿入物１１、１つのネジ１３および２つの小さい板１２，１２'によって構成されている。この場合における調節は、上述した手順と同様に行われる。
【００４５】
上述した例示の実施形態において、幅または「適合状態」の調節は、履き物の周囲輪郭のほぼ対称的な変形を得ることを可能にするものであり、前記調節は前記輪郭の中央部４ａ'と側面部４ａとの間でほぼ等しい割合で実行される。原則として、例えば米国特許第５，８１３，１４６号に開示されるように、１つまたはそれ以上の調節手段について、観察手段が底部３，４の下面、特に下側底部３に少なくとも部分的に形成されてもよいことが理解される、別々の箇所で調節を確認できるようにすることを妨げるものではない。また、調節手段は、上述したネジ式のもの以外の相互連結手段を用いてもよく、例えば、米国特許第５，８１３，１４６号に開示されるのと同様に、各歯またはラチェットギヤを介して種々の方法で前記小さい板と協働できる形態のものであってもよい。ここで、この形態に関する米国特許第５，８１３，１４６号の教示は、参照によりここに組み込まれていると考えられる。
【００４６】
非常に弾性があって柔軟な材料からなる中間底部について、本体４ａは前記調節手段に直に成型されてもよい。この場合、予め組み立てておいた調節手段が成形型内に配置されることになる。
【００４７】
本発明は、特にスポーツシューズを参照して説明されてきたが、他の種類の靴または履き物にも適用可能である。
【図面の簡単な説明】
【００４８】
【図１】本発明にかかるスポーツシューズの一部断面を含む側面図。
【図２】図１のシューズの底部構成部材の本体の概略底面図。
【図３】前記構成部材の周囲縁部または輪郭の中間部および側面部を示す、図２の構成部材の概略側面図。
【図４】前記構成部材の周囲縁部または輪郭の中間部および側面部を示す、図２の構成部材の概略側面図。
【図５】本発明にかかる履き物の調節機構の一部を形成する挿入物の概略平面図。
【図６】図５のＶＩ−ＶＩ線断面図。
【図７】図５のＶＩＩ−ＶＩＩ線断面図。
【図８】図５の挿入物の概略正面図。
【図９】本発明にかかる履き物の調節機構の一部を形成する２つの構成部材の概略側面図。
【図１０】本発明にかかる履き物の調節機構の一部を形成する２つのネジの概略側面図。
【図１１】第１実施形態における、図５ないし１０の調節機構が装着された図２の構成部材の概略底面図。
【図１２】図１１の構成部材の概略側面図。
【図１３】本発明にかかる履き物の概略底面図。
【図１４】図１３のＸＩＶ−ＸＩＶ線断面図。
【図１５】第２実施形態の各構成要素が装着された、図１１と同様の図。
【図１６】本発明における可能な変形例での挿入物の、図６と同様の概略断面図。
【図１７】本発明における可能な変形例での挿入物の、図７と同様の概略断面図。
【図１８】図１６および１７の挿入物を用いた本発明の可能な変形例を示す、図１４とほぼ同様の概略断面図。
【図１９】図１６および１７の挿入物を用いた本発明の可能な別の変形例を示す、図１４とほぼ同様の概略断面図。
【図２０】本発明の可能な別の変形例における図１１または１５の構成部材の概略部分断面図。
【図２１】本発明の可能な別の変形例における図１１または１５の構成部材の概略部分断面図。
【図２２】本発明の可能な別の変形例にかかる図２と同様の構成部材の概略底面図。
【図２３】本発明の可能な別の変形例にかかる図２と同様の構成部材の概略側面図。
【符号の説明】
【００４９】
１…履き物、シューズ、靴
２…上部
３…外側底部
４…中間底部
４ａ…本体
４ａ'…中央部
４ａ''…側面部
８…材料の不連続部、溝
９…ハウジング
１１…挿入物
１２…小さい板
１３…ネジ、調節ロッド
１５…溝、通路
【図１】
2006204917.tif 000003
【図２】
2006204917.tif 000004
【図３】
2006204917.tif 000005
【図４】
2006204917.tif 000006
【図５】
2006204917.tif 000007
【図６】
2006204917.tif 000008
【図７】
2006204917.tif 000009
【図８】
2006204917.tif 000010
【図９】
2006204917.tif 000011
【図１０】
2006204917.tif 000012
【図１１】
2006204917.tif 000013
【図１２】
2006204917.tif 000014
【図１３】
2006204917.tif 000015
【図１４】
2006204917.tif 000016
【図１５】
2006204917.tif 000017
【図１６】
2006204917.tif 000018
【図１７】
2006204917.tif 000019
【図１８】
2006204917.tif 000020
【図１９】
2006204917.tif 000021
【図２０】
2006204917.tif 000022
【図２１】
2006204917.tif 000023
【図２２】
2006204917.tif 000024
【図２３】
2006204917.tif 000025
【外国語明細書】
2006204917.tif 000026
2006204917.tif 000027
2006204917.tif 000028
2006204917.tif 000029
2006204917.tif 000030
2006204917.tif 000031
2006204917.tif 000032
2006204917.tif 000033
2006204917.tif 000034
2006204917.tif 000035
2006204917.tif 000036
2006204917.tif 000037
2006204917.tif 000038
2006204917.tif 000039
2006204917.tif 000040
2006204917.tif 000041
2006204917.tif 000042
2006204917.tif 000043
2006204917.tif 000044
2006204917.tif 000045
2006204917.tif 000046
2006204917.tif 000047
2006204917.tif 000048
2006204917.tif 000049
2006204917.tif 000050
2006204917.tif 000051